(57)【要約】【課題】シンク機器とソース機器との間に介在し、ソース機器が携帯機器である場合にも、ソース機器に正しい物理アドレスを取得させることができる中継装置を実現する。【解決手段】中継装置１０は、携帯電話端末２０とテレビ３０との間に接続され、テレビ３０と接続されたとき、中継装置１０のアドレスをテレビ３０から取得すると共に、取得した中継装置１０のアドレスをＲＡＭ１２に記憶させる取得手段と、携帯電話端末２０と接続されたとき、中継装置１０のアドレスから携帯電話端末２０のアドレスを導出すると共に、導出した携帯電話端末２０のアドレスをＥＤＩＤ格納部１６０に記憶させる導出手段と、携帯電話端末２０のアドレスを、携帯電話端末２０に読み出させる提供手段と、を備えている。これにより、中継装置１０は、携帯電話端末２０に正しい物理アドレスを取得させることができる。【選択図】図１
2011259231.tif 000002
【特許請求の範囲】
【請求項１】
ソース機器とシンク機器との間に接続される中継装置であって、
上記シンク機器と接続されたとき、上記シンク機器によって導出された当該中継装置のアドレスを上記シンク機器から取得すると共に、取得した当該中継装置のアドレスを第１の記憶部に記憶させる取得手段と、
上記第１の記憶部に記憶された当該中継装置のアドレスから上記ソース機器のアドレスを導出すると共に、導出した上記ソース機器のアドレスを第２の記憶部に記憶させる導出手段と、
上記第２の記憶部に記憶された上記ソース機器のアドレスを、上記ソース機器に読み出させる提供手段と、を備えている、ことを特徴とする中継装置。
【請求項２】
上記導出手段は、上記ソース機器のアドレスにおける第１の部分を、上記第１の記憶部に記憶された当該中継装置のアドレスから継承すると共に、上記ソース機器のアドレスにおける第２の部分を、上記ソース機器が接続される入力端子の端子番号に応じて設定する、ことを特徴とする請求項１に記載の中継装置。
【請求項３】
上記ソース機器から送信された入力切替要求であって、コンテンツの入力源を上記導出手段によって導出されたアドレスにより指定される機器に切り替えることを上記シンク機器に求める入力切替要求を、上記シンク機器に転送する転送手段を更に備えている、ことを特徴とする請求項１または２に記載の中継装置。
【請求項４】
当該中継装置において生成された入力切替要求であって、コンテンツの入力源を上記導出手段によって導出されたアドレスにより指定される機器に切り替えることを上記シンク機器に求める入力切替要求を、上記シンク機器に送信する送信手段を更に備えている、ことを特徴とする請求項１または２に記載の中継装置。
【請求項５】
上記ソース機器から通知される機器情報であって、上記ソース機器が携帯機器であるか否かを示す機器情報に基づいて、上記ソース機器が携帯機器であるか否かを判定する機器判定手段を更に備えており、
上記提供手段は、上記ソース機器が携帯機器であると判定された場合に限って、上記第２の記憶部に記憶された上記ソース機器のアドレスを、上記ソース機器に読み出させる、ことを特徴とする請求項１から４までの何れか１項に記載の中継装置。
【請求項６】
上記ソース機器および上記シンク機器は、それぞれ、ＨＤＭＩケーブルを介して当該中継装置に接続されており、当該中継装置のアドレス、および、上記ソース機器のアドレスは、上記ＨＤＭＩケーブルを介して伝送される、ことを特徴とする請求項１から５までの何れか１項に記載の中継装置。
【請求項７】
ソース機器と、シンク機器と、上記ソース機器と上記シンク機器との間に接続される中継装置とを含むシステムであって、
上記中継装置は、上記シンク機器と接続されたとき、上記シンク機器によって導出された当該中継装置のアドレスを上記シンク機器から取得すると共に、取得した当該中継装置のアドレスを第１の記憶部に記憶させる取得手段と、
上記ソース機器と接続されたとき、上記第１の記憶部に記憶された当該中継装置のアドレスから上記ソース機器のアドレスを導出すると共に、導出した上記ソース機器のアドレスを第２の記憶部に記憶させる導出手段と、
上記第２の記憶部に記憶された上記ソース機器のアドレスを、上記ソース機器に読み出させる提供手段と、を備えている、ことを特徴とする中継装置。
【請求項８】
ソース機器とシンク機器との間に接続される中継装置が、上記ソース機器のアドレスを上記ソース機器に通知する通知方法であって、
上記中継装置が、上記シンク機器と接続されたとき、上記シンク機器によって導出された当該中継装置のアドレスを上記シンク機器から取得すると共に、取得した当該中継装置のアドレスを第１の記憶部に記憶させる取得ステップと、
上記中継装置が、上記第１の記憶部に記憶された当該中継装置のアドレスから上記ソース機器のアドレスを導出すると共に、導出した上記ソース機器のアドレスを第２の記憶部に記憶させる導出ステップと、
上記中継装置が、上記第２の記憶部に記憶された上記ソース機器のアドレスを、上記ソース機器に読み出させる提供ステップと、とを含んでいる、ことを特徴とする通知方法。
【請求項９】
コンピュータを請求項１から６までの何れか１項に記載の中継装置として動作させるためのプログラムであって、上記コンピュータを上記中継装置が備えている各手段をとして機能させるためのプログラム。
【請求項１０】
請求項９に記載のプログラムを記録したコンピュータ読み取り可能な記録媒体。
【発明の詳細な説明】
【技術分野】
【０００１】
本発明は、ソース機器とシンク機器とに接続される中継装置に関する。また、そのような中継装置において、アドレスをソース機器に通知する通知方法に関する。更に、そのような中継装置を含むシステム、そのような中継装置としてコンピュータを動作させるためのプログラム、及び、そのようなプログラムが記録された記録媒体に関する。
【背景技術】
【０００２】
近年、ＨＤＭＩ（High-Definition Multimedia Interface）を搭載するテレビが普及し、テレビとソース機器（ＡＶ機器）とをＨＤＭＩケーブルを介して接続することが一般的となっている。ＨＤＭＩケーブルを介して接続されたテレビとソース機器とは、映像信号および音声信号に加え、ＣＥＣ（Consumer Electronics Control）コマンドを送受信することができる。
【０００３】
ＣＥＣコマンドを用いれば、テレビからソース機器を制御したり、ソース機器からテレビを制御したりすることによって、これまでにはなかった利便性をユーザに提供することが可能になる。例えば、テレビの入力ソースを、コンテンツの再生を開始したソース機器に自動的に切り替えることができる。このような入力ソースの切り替えは、コンテンツの再生を開始したソース機器が、テレビに対してActive Sourceコマンドを発行し、テレビが、入力ソースをActive Sourceコマンドの発行元に切り替えることによって実現される。Active Sourceコマンドには、Active Sourceコマンドの発行元の物理アドレスが引数として含まれており、テレビは、この物理アドレスによってActive Sourceコマンドの発行元を特定するようになっている。
【０００４】
また、特許文献１には、レガシーインタフェース（ビデオ端子やコンポーネント端子など）とＨＤＭＩとを備えたテレビにおいて、ＨＤＭＩを介して接続されたＡＶ機器を入力ソースとして優先して選択する技術が開示されている。
【先行技術文献】
【特許文献】
【０００５】
【特許文献１】特開２００８−２１９５４４号公報（平成２０年９月１８日公開）
【発明の概要】
【発明が解決しようとする課題】
【０００６】
最近の携帯機器、例えば、携帯電話端末、ＰＤＡ（Personal Digital Assistant）、携帯型デジタルオーディオプレイヤなどは、静止画（ピクチャー）、動画（ムービー）、音楽（ミュージック）などのコンテンツを再生する機能を有している。したがって、これらの携帯機器をＨＤＭＩケーブルを介してテレビに接続すれば、これらの携帯機器にて再生されたコンテンツ（映像信号および／または音声信号）をテレビから出力することができる。
【０００７】
しかしながら、ＨＤＭＩケーブルを介してこれらの携帯機器をテレビに接続する場合、携帯機器が自身の物理アドレスを取得することができず、自身の物理アドレスを引数として含むＣＥＣコマンドを発行することができないという問題を生じる。例えば、コンテンツの再生を開始した携帯機器が、テレビに対してActive Sourceコマンドを発行することができず、テレビが、入力ソースを携帯機器に切り替えることができないといった事態が起こる。以下、この問題について、もう少し詳しく説明する。
【０００８】
まず、ＨＤＭＩ規格に従って各ソース機器が自身の物理アドレスを取得する方法について説明する。なお、各ソース機器の物理アドレスは、シンク機器からそのソース機器に至るパスを示す４桁の整数によって表現される。例えば、シンク機器（テレビ）のｘ番目のＨＤＭＩ入力端子に接続されたソース機器Ｘの物理アドレスは（ｘ，０，０，０）となり、ソース機器Ｘのｙ番目のＨＤＭＩ入力端子に接続されたソース機器Ｙの物理アドレスは（ｘ，ｙ，０，０）となる。シンク機器の物理アドレスは（０，０，０，０）である。
【０００９】
ＨＤＭＩケーブルを介して２つの機器が接続されると、シンク側の機器が、５Ｖ電力ラインの電位の立ち上がりを検知し、ＨＰＤ（Hot Plug Detect）ラインの電位を立ち上げる。ソース側の機器は、ＨＰＤラインの電位の立ち上がりを検知すると、シンク側の機器から自身の物理アドレスを含むＥＤＩＤ（Extended Display Identification Data）を取得する。ここで、５Ｖ電力ラインおよびＨＰＤラインは、ＨＤＭＩケーブルに含まれるチャンネルである。このようにして、シンク機器に接続されたソース機器Ｘがシンク機器から自身の物理アドレスを取得し、ソース機器Ｘに接続されたソース機器Ｙがソース機器Ｘから自身の物理アドレスを取得するという過程を繰り返すことによって、シンク機器をルートとしてツリー状に接続されたソース機器の各々に物理アドレスが割り振られる。
【００１０】
ＨＤＭＩを介して２つの機器が接続されたときに、シンク側の機器が５Ｖ電力ラインの電位の立ち上がりを検知し損ねると、ＨＰＤラインの電位が立ち上がらないので、ソース側の機器がシンク側の機器から自身の物理アドレスを含むＥＤＩＤを取得する契機が失われる。このため、ソース側の機器は、ＨＤＭＩケーブルを介してシンク側の機器に接続されているにも関わらず、自身の物理アドレスを引数として含むコマンドを送信することができない。シンク側の機器において、単一のＨＤＭＩレシーバを用いて複数のＨＤＭＩ入力を処理する実装がならされている場合、このような事態が生じ易い。
【００１１】
このような事態を回避するために、ソース機器においては、取得した自身の物理アドレスを記憶部に記憶しておく実装がしばしば採用されている。記憶部に記憶された自身の物理アドレスは、ＨＰＤラインの電位が立ち上がる度に、新たに取得した自身の物理アドレスに書き換えられる。ソース機器が据置機器である場合、他のＨＤＭＩ入力端子に接続し直され、物理アドレスの更新が必要になる機会が稀にしかない。このため、このような実装でも物理アドレスの信頼性を担保することができる。ところが、ソース機器が携帯機器である場合、他のＨＤＭＩ入力端子に接続し直され、物理アドレスの更新が必要になる機会が頻繁にある。このため、このような実装では物理アドレスの信頼性を担保することができない。その結果、例えば、物理アドレスが（ｙ，０，０，０）に変更された後で、変更前の物理アドレス（ｙ，０，０，０）を引数として含むActive Sourceコマンドを発行してしまい、シンク機器の入力ソースを自身に切り替えることができないといった事態を生じる。
【００１２】
本発明は、このような問題を解決するためになされたものであり、その目的は、シンク機器とソース機器との間に介在し、ソース機器が携帯機器である場合にも、ソース機器に正しい物理アドレスを取得させることができる中継装置を実現することにある。
【課題を解決するための手段】
【００１３】
本発明に係る中継装置は、上記の課題を解決するために、ソース機器とシンク機器との間に接続される中継装置であって、上記シンク機器と接続されたとき、上記シンク機器によって導出された当該中継装置のアドレスを上記シンク機器から取得すると共に、取得した当該中継装置のアドレスを第１の記憶部に記憶させる取得手段と、上記第１の記憶部に記憶された当該中継装置のアドレスから上記ソース機器のアドレスを導出すると共に、導出した上記ソース機器のアドレスを第２の記憶部に記憶させる導出手段と、上記第２の記憶部に記憶された上記ソース機器のアドレスを、上記ソース機器に読み出させる提供手段と、を備えている、ことを特徴としている。
【００１４】
また、本発明にかかる通知方法は、ソース機器とシンク機器との間に接続される中継装置が、上記ソース機器のアドレスを上記ソース機器に通知する通知方法であって、上記中継装置が、上記シンク機器と接続されたとき、上記シンク機器によって導出された当該中継装置のアドレスを上記シンク機器から取得すると共に、取得した当該中継装置のアドレスを第１の記憶部に記憶させる取得ステップと、上記中継装置が、上記第１の記憶部に記憶された当該中継装置のアドレスから上記ソース機器のアドレスを導出すると共に、導出した上記ソース機器のアドレスを第２の記憶部に記憶させる導出ステップと、上記中継装置が、上記第２の記憶部に記憶された上記ソース機器のアドレスを、上記ソース機器に読み出させる提供ステップと、とを含んでいる、ことを特徴としている。
【００１５】
上記構成によれば、中継装置は、シンク機器と接続された時点で、自身（中継装置）のアドレスを取得し、取得した自身のアドレスを第１の記憶部に記憶させる。そして、中継装置は、第１の記憶部に記憶された自身のアドレスから、ソース機器のアドレスを導出する。このため、中継装置によって導出されるソース機器のアドレスは、中継装置とシンク機器との接続が断たれない限り（シンク機器に対する中継装置のパスが変わらない限り）、ソース機器の正しいアドレスとなる。このため、中継装置は、ソース機器に正しい物理アドレスを取得させることができるという効果を奏する。
【００１６】
本発明に係る中継装置では、上記導出手段は、上記ソース機器のアドレスにおける第１の部分を、上記第１の記憶部に記憶された当該中継装置のアドレスから継承すると共に、上記ソース機器のアドレスにおける第２の部分を、上記ソース機器が接続される入力端子の端子番号に応じて設定する、ことが好ましい。
【００１７】
上記構成によれば、中継装置は、シンク機器をルートとしてツリー状に接続されたソース機器の各々にアドレスを設定することができる。
【００１８】
本発明に係る中継装置では、上記ソース機器から送信された入力切替要求であって、コンテンツの入力源を上記導出手段によって導出されたアドレスにより指定される機器に切り替えることを上記シンク機器に求める入力切替要求を、上記シンク機器に転送する転送手段を更に備えている、ことが好ましい。
【００１９】
上記構成によれば、中継装置は、上記ソース機器から送信されたコンテンツの入力源を上記ソース機器に切り替えることを上記シンク機器に求める入力切替要求を、上記シンク機器に転送することができる。
【００２０】
これによりにより、上記シンク機器の入力を上記ソース機器に切り替える切替コマンドが上記シンク機器より発行されるため、ユーザは手動で入力切替操作を行うことなく、上記ソース機器の映像を上記シンク機器で見ることができる。
【００２１】
本発明に係る中継装置では、当該中継装置において生成された入力切替要求であって、コンテンツの入力源を上記導出手段によって導出されたアドレスにより指定される機器に切り替えることを上記シンク機器に求める入力切替要求を、上記シンク機器に送信する送信手段を更に備えている、ことが好ましい。
【００２２】
上記構成によれば、中継装置は、上記ソース機器から送信されたコンテンツの入力源を上記ソース機器に切り替えることを上記シンク機器に求める入力切替要求を生成し、上記シンク機器に送信することができる。
【００２３】
これにより、上記ソース機器からではなく、中継装置から入力切替要求を送信することができるため、上記ソース機器がどのような機器であっても、入力切替要求を上記シンク機器に送信することができる。
【００２４】
本発明に係る中継装置では、上記ソース機器から通知される機器情報であって、上記ソース機器が携帯機器であるか否かを示す機器情報に基づいて、上記ソース機器が携帯機器であるか否かを判定する機器判定手段を更に備えており、上記提供手段は、上記ソース機器が携帯機器であると判定された場合に限って、上記第２の記憶部に記憶された上記ソース機器のアドレスを、上記ソース機器に読み出させる、ことが好ましい。
【００２５】
これにより、中継装置は、上記ソース機器が携帯機器である場合にのみ、上記ソース機器のアドレスを上記ソース機器に読み出させることができる。
【００２６】
本発明に係る中継装置では、上記ソース機器および上記シンク機器は、それぞれ、ＨＤＭＩケーブルを介して当該中継装置に接続されており、当該中継装置のアドレス、および、上記ソース機器のアドレスは、上記ＨＤＭＩケーブルを介して伝送される、ことが好ましい。
【００２７】
また、本発明に係る中継装置では、ソース機器と、シンク機器と、上記ソース機器と上記シンク機器との間に接続される中継装置とを含むシステムであって、上記中継装置は、上記シンク機器と接続されたとき、上記シンク機器によって導出された当該中継装置のアドレスを上記シンク機器から取得すると共に、取得した当該中継装置のアドレスを第１の記憶部に記憶させる取得手段と、上記ソース機器と接続されたとき、上記第１の記憶部に記憶された当該中継装置のアドレスから上記ソース機器のアドレスを導出すると共に、導出した上記ソース機器のアドレスを第２の記憶部に記憶させる導出手段と、上記第２の記憶部に記憶された上記ソース機器のアドレスを、上記ソース機器に読み出させる提供手段と、を備えている、ことを特徴としている。
【００２８】
上記構成によれば、本発明に係る中継装置と同様の作用効果を奏する。
【００２９】
また、上記中継装置が備えているコンピュータを動作させるプログラムであって、上記コンピュータを上記の各手段として実行させるための制御プログラム、および当該制御プログラムを記録したコンピュータ読み取り可能な記録媒体も本発明の技術的範囲に含まれる。
【発明の効果】
【００３０】
以上のように、上記の課題を解決するために、ソース機器とシンク機器との間に接続される中継装置であって、上記シンク機器と接続されたとき、上記シンク機器によって導出された当該中継装置のアドレスを上記シンク機器から取得すると共に、取得した当該中継装置のアドレスを第１の記憶部に記憶させる取得手段と、上記ソース機器と接続されたとき、上記第１の記憶部に記憶された当該中継装置のアドレスから上記ソース機器のアドレスを導出すると共に、導出した上記ソース機器のアドレスを第２の記憶部に記憶させる導出手段と、上記第２の記憶部に記憶された上記ソース機器のアドレスを、上記ソース機器に読み出させる提供手段と、を備えている、ことを特徴としている。
【００３１】
また、本発明にかかる通知方法は、ソース機器とシンク機器との間に接続される中継装置が、上記ソース機器のアドレスを上記ソース機器に通知する通知方法であって、上記中継装置が、上記シンク機器と接続されたとき、上記シンク機器によって導出された当該中継装置のアドレスを上記シンク機器から取得すると共に、取得した当該中継装置のアドレスを第１の記憶部に記憶させる取得ステップと、上記中継装置が、上記ソース機器と接続されたとき、上記第１の記憶部に記憶された当該中継装置のアドレスから上記ソース機器のアドレスを導出すると共に、導出した上記ソース機器のアドレスを第２の記憶部に記憶させる導出ステップと、上記第２の記憶部に記憶された上記ソース機器のアドレスを、上記ソース機器に読み出させる提供ステップと、とを含んでいる、ことを特徴としている。
【００３２】
従って、中継装置は、ソース機器に正しい物理アドレスを取得させることができるという効果を奏する。
【図面の簡単な説明】
【００３３】
【図１】第１の実施形態に係る中継装置の構成を示すブロック図である。
【図２】図１の中継装置の接続例を示す図である。
【図３】図１の中継装置にて実行される物理アドレス取得処理の流れを示すシーケンス図である。
【図４】図１の中継装置にて実行される入力切替処理の流れを示したシーケンス図である。
【図５】第２の実施形態に係る中継装置にて実行される入力切替処理の流れを示したシーケンス図である。
【図６】第３の実施形態に係る中継装置にて実行される入力切替処理の流れを示したシーケンス図である。
【図７】実施形態４に係る中継装置の構成を示すブロック図である。
【図８】第４の実施形態に係る中継装置にて実行される入力切替処理の流れを示したシーケンス図である。
【発明を実施するための形態】
【００３４】
〔実施形態１〕
本発明の第１の実施形態について、図１から図４に基づいて説明すれば以下のとおりである。なお、以下の実施形態においては、中継装置に接続されるシンク機器およびソース機器として、それぞれ、テレビジョン受像機（以下「テレビ」と呼称する）および携帯電話端末を例示するが、中継装置に接続可能なシンク機器およびソース機器は、これらに限定されるものではない。特に、携帯電話端末は、ソース機器として機能する携帯機器の一例に過ぎず、例えば、ＰＤＡや携帯型デジタルオーディオプレイヤなど、他の携帯機器に置換可能である。
【００３５】
本実施形態に係る中継装置１０の構成について、図１を参照して説明する。図１は、中継装置１０の構成を示すブロック図である。図１においては、中継装置１０の構成に加え、中継装置１０のＨＤＭＩ入力端子に接続されたソース機器である携帯電話端末２０のＨＤＭＩトランスミッタ２０１の構成、及び、中継装置１０のＨＤＭＩ出力端子に接続されたシンク機器であるテレビ３０のＨＤＭＩレシーバ１０１の構成を示している。
【００３６】
（ＨＤＭＩケーブルの構成）
図１に示すように、中継装置１０は、携帯電話端末２０及びテレビ３０とＨＤＭＩケーブルを介して接続される。ＨＤＭＩケーブルは、コンテンツ（映像信号および音声信号）を伝送するＴＭＤＳ（Transition Minimized Differential Signaling）ラインと、ＣＥＣコマンドを伝送するＣＥＣラインと、ＥＤＩＤを伝送するＤＤＣ（Display Data Cannel）ラインと、ＨＰＤ信号を伝送するＨＰＤラインと、接続検知のためにソース機器によって電圧（対グランド電位）が５Ｖに制御される５Ｖ電力ラインとを備えている。
【００３７】
ここで、ＥＤＩＤは、シンク機器であるテレビ３０に関する情報（周波数、解像度、製造メーカ、型式など）と、ソース機器である携帯電話端末２０に割り振るべき物理アドレスとが記述されたデータである。また、ＨＰＤ信号は、接続検知のために利用される２値信号である。
【００３８】
ＣＥＣコマンドは、ＨＤＭＩにおいて規定されたＣＥＣプロトコル（以下、ＨＤＭＩ−ＣＥＣと呼ぶ）に基づく制御コマンドである。ＨＤＭＩケーブルにより接続された各機器には、ＣＥＣコマンドによる機器間の連携を実現するために、論理アドレスと物理アドレスとが割り振られる。ＣＥＣコマンドには、送信元および／または送信先の論理アドレスおよび／または物理アドレスが引数として含まれ、ＨＤＭＩケーブルにより接続された各機器は、ＣＥＣコマンドに含まれる論理アドレスおよび／または物理アドレスによって、そのＣＥＣコマンドの送信元および／または送信先を特定する。
【００３９】
論理アドレスは、機器種別（テレビ、レコーダ、プレーヤ、チューナ、オーディオの何れか）を示す１から１５までの自然数によって表現される。例えば、テレビには論理アドレス「０」が割り振られ、１台目のレコーダには論理アドレス「１」が割り振られる、２台目のレコーダには論理アドレス「２」が割り振られる。
【００４０】
物理アドレスは、ソース機器からのパスを示す４桁の自然数によって表現される。例えば、シンク機器（テレビ）のｘ番目のＨＤＭＩ入力端子に接続されたソース機器Ｘには物理アドレス（ｘ，０，０，０）が割り振られ、ソース機器Ｘのｙ番目のＨＤＭＩ入力端子に接続されたソース機器Ｙには物理アドレス（ｘ，ｙ，０，０）が割り振られる。なお、シンク機器であるテレビには物理アドレス（０，０，０，０）が割り振られる。
【００４１】
図２に示す接続例では、テレビ３０の１番目のＨＤＭＩ入力端子に接続されたＤＶＤプレーヤには物理アドレス（１，０，０，０）が割り振られ、テレビ３０の２番目のＨＤＭＩ入力端子に接続された中継装置１０には物理アドレス（２，０，０，０）が割り振られ、テレビ３０の３番目のＨＤＭＩ入力端子に接続された携帯電話端末Ｃには物理アドレス（３，０，０，０）が割り振られる。更に、中継装置１０の１番目のＨＤＭＩ入力端子に接続された携帯電話端末Ａには物理アドレス（２，１，０，０）が割り振られ、中継装置１０の２番目のＨＤＭＩ入力端子に接続された携帯電話端末Ｂには物理アドレス（２，２，０，０）が割り振られる。
【００４２】
（中継装置１０の構成）
図１に示すように、中継装置１０は、ＡＶスイッチ１１、ＲＡＭ（Random Access Memory）１２、ＲＯＭ（Read Only Memory）１３、ＣＰＵ（Central Processing Unit）１４、ＣＥＣ制御部１５、ＨＤＭＩレシーバ１００、及び、ＨＤＭＩトランスミッタ２００を備えている。図１に示すように、これらはバスを介して互いに接続されている。
【００４３】
ＨＤＭＩレシーバ１００は、中継装置１０のＨＤＭＩ入力端子に接続されたソース機器からコンテンツを受信すると共に、ソース機器との間でＣＥＣコマンドを送受信するためのインターフェースである。図１においては、ＨＤＭＩ入力端子に接続されたソース機器として、携帯電話端末２０を例示している。ＨＤＭＩレシーバ１００の詳細については後述する。
【００４４】
ＨＤＭＩトランスミッタ２００は、中継装置１０のＨＤＭＩ出力端子に接続されたシンク機器にコンテンツを送信すると共に、シンク機器との間でＣＥＣコマンドを送受信するためのインターフェースである。図１においては、ＨＤＭＩ出力端子に接続されたシンク機器として、テレビ３０を例示している。ＨＤＭＩトランシーバ２００の詳細については後述する。
【００４５】
ＡＶスイッチ１１は、ＨＤＭＩトランスミッタ２００がシンク機器に送信するコンテンツを選択するためのスイッチである。ＡＶスイッチ１１には、ＨＤＭＩレシーバ１００がソース機器から受信したコンテンツの他に、ＣＰＵ１４がデコードしたＵＩ用コンテンツが供給されており、ＡＶスイッチ１１は、どちらのコンテンツをＨＤＭＩトランスミッタ２００に供給するかを切り替える。なお、ＡＶスイッチ１１がどちらのコンテンツをＨＤＭＩトランスミッタ２００に供給するかは、ＣＥＣ制御部１５によって制御されている。
【００４６】
ＲＡＭ１２は、ＣＰＵ１４およびＣＥＣ制御部１５が演算のために参照するデータ、ならびに、ＣＰＵ１４およびＣＥＣ制御部１５が演算によって生成したデータなどの可変データが格納される、読み出し可能かつ書き込み可能な半導体メモリである。例えば、ＨＤＭＩトランスミッタ２００がシンク機器から取得したＥＤＩＤは、このＲＡＭ１２に格納される。
【００４７】
ＲＯＭ１３は、ＣＰＵ１４およびＣＥＣ制御部１５によって実行されるプログラムなどの固定データが格納される、読み出し可能かつ書き込み不能な半導体メモリである。ＣＰＵ１４がＵＩ用コンテンツをデコードする際に参照するコンテンツデータ（テキストデータや画像データなど）は、このＲＯＭ１３に格納される。
【００４８】
ＣＰＵ１４及びＣＥＣ制御部１５は、中継装置１０における処理全般を制御する。特に、ＨＤＭＩレシーバ１００がソース機器から受信したＣＥＣコマンド、及び、ＨＤＭＩトランスミッタ２００がシンク機器から受信したＣＥＣコマンドの実行は、ＣＥＣ制御部１５によって行われる。また、ＨＤＭＩレシーバ１００がソース機器に送信するＣＥＣコマンド、及び、ＨＤＭＩトランスミッタ２００がシンク機器に送信するＣＥＣコマンドの発行は、ＣＥＣ制御部１５によって行われる。一方、ＵＩ用コンテンツのデコードなどの処理は、ＣＰＵ１４によって行われる。
【００４９】
例えば、ＣＥＣ制御部１５が実行する機能のひとつとして、ＨＤＭＩ入力端子に接続されたソース機器に割り振るべき物理アドレスを中継装置１０の物理アドレスから導出する導出機能が挙げられる。中継装置１０の物理アドレスが（ｘ，０，０，０）である場合、ＣＥＣ制御部１５は、ｙ番目のＨＤＭＩ入力端子に接続されるソース機器に割り振るべき物理アドレスとして（ｘ，ｙ，０，０）を導出する。つまり、１桁目（第１の部分）を、中継装置１０の物理アドレスから継承し、２桁目（第２の部分）を、ＨＤＭＩ入力端子の端子番号に応じて設定することによって、ソース機器に割り振るべき物理アドレスを導出する。
【００５０】
（ＨＤＭＩレシーバ１００の詳細）
ＨＤＭＩレシーバ１００は、ＴＭＤＳレシーバ１１０、ＤＤＣ・Ｉ／Ｆ１２０、ＣＥＣ・Ｉ／Ｆ１３０、ＨＰＤ制御部１４０、５Ｖ・Ｐｏｗｅｒ検知部１５０、及び、ＥＤＩＤ格納部１６０を備えている。ＨＤＭＩレシーバ１００の各部は、ＣＥＣ制御部１５によって制御される。
【００５１】
ＴＭＤＳレシーバ１１０は、ＨＤＭＩケーブルのＴＭＤＳラインを介して伝送されたコンテンツを受信するためのインターフェースである。ＴＭＤＳレシーバ１１０が受信したコンテンツは、ＡＶスイッチ１４に供給される。
【００５２】
ＤＤＣ・Ｉ／Ｆ１２０は、ＨＤＭＩケーブルのＤＤＣラインを介してＥＤＩＤを送信するためのインターフェースである。ＤＤＣ・Ｉ／Ｆ１２０が送信するＥＤＩＤは、ＥＤＩＤ格納部１６０から読み出される。ＥＤＩＤ格納部１６０は、ＥＤＩＤを格納するための書き換え可能なメモリである。
【００５３】
ＣＥＣ・Ｉ／Ｆ１３０は、ＨＤＭＩケーブルのＣＥＣラインを介して伝送されたＣＥＣコマンドを受信するためのインターフェースである。ＣＥＣ・Ｉ／Ｆ１３０が受信したＣＥＣコマンドは、ＣＥＣ制御部１５に供給される。また、ＣＥＣ・Ｉ／Ｆ１３０は、ＨＤＭＩケーブルのＣＥＣラインを介してＣＥＣコマンドを送信するためのインターフェースでもある。ＣＥＣ・Ｉ／Ｆ１３０が送信するＣＥＣコマンドは、ＣＥＣ制御部１５から供給される。
【００５４】
５Ｖ・Ｐｏｗｅｒ検知部１５０は、ＨＤＭＩケーブルの５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ・Ｐｏｗｅｒ検知部１５０は、ソース機器との接続が確立されたことをＣＥＣ制御部１５及びＨＰＤ制御部１４０に通知する。ＨＰＤ制御部１４０は、５Ｖ・Ｐｏｗｅｒ検知部１５０からこの通知を受けると、ＨＤＭＩケーブルのＨＰＤラインが接続されるＨＰＤピンの電圧をＨレベルに立ち上げる。
【００５５】
ＨＤＭＩ入力端子に接続されたソース機器のＨＤＭＩトランスミッタ（図１においては、携帯電話端末２０のＨＤＭＩトランスミッタ２０１）は、ＨＤＭＩケーブルのＨＰＤラインに接続されるＨＰＤピンの電圧がＨレベルに立ち上がると、ＨＤＭＩレシーバ１００のＥＤＩＤ格納部１６０に格納されたＥＤＩＤをＤＤＣラインを介して読み出す。つまり、ＨＰＤ制御部１４０は、ＨＤＭＩ入力端子にソース機器が接続されたときに、そのソース機器の物理アドレスを含むＥＤＩＤを、そのソース機器に取得させるための提供手段として機能する。
【００５６】
（ＨＤＭＩトランスミッタ２００の詳細）
ＨＤＭＩトランスミッタ２００は、ＴＭＤＳトランスミッタ２１０、ＤＤＣ・Ｉ／Ｆ２２０、ＣＥＣ・Ｉ／Ｆ２３０、ＨＰＤ検知部２４０、及び、５Ｖ・Ｐｏｗｅｒ制御部２５０を備えている。ＨＤＭＩトランスミッタ２００の各部はＣＥＣ制御部１５によって制御される。
【００５７】
ＴＭＤＳトランスミッタ２１０は、ＨＤＭＩケーブルのＴＭＤＳラインを介してコンテンツを送信するためのインターフェースである。ＴＭＤＳトランスミッタ２１０が送信するコンテンツは、ＡＶスイッチ１１から供給される。
【００５８】
ＤＤＣ・Ｉ／Ｆ２２０は、ＨＤＭＩケーブルのＤＤＣラインを介して伝送されたＥＤＩＤを受信するためのインターフェースである。ＤＤＣ・Ｉ／Ｆ２２０が受信したＥＤＩＤは、ＣＥＣ制御部１５に供給される。
【００５９】
ＣＥＣ・Ｉ／Ｆ２３０は、ＨＤＭＩケーブルのＣＥＣラインを介して伝送されたＣＥＣコマンドを受信するためのインターフェースである。ＣＥＣ・Ｉ／Ｆ２３０が受信したＣＥＣコマンドは、ＣＥＣ制御部１５に供給される。また、ＣＥＣ・Ｉ／Ｆ２３０は、ＨＤＭＩケーブルのＣＥＣラインを介してＣＥＣコマンドを送信するためのインターフェースである。ＣＥＣ・Ｉ／Ｆ２３０が送信するＣＥＣコマンドは、ＣＥＣ制御部１５から供給される。
【００６０】
５Ｖ・Ｐｏｗｅｒ制御部２５０は、ＨＤＭＩ出力端子に接続されたシンク機器が中継装置１０に接続されたことを検知できるよう、ＨＤＭＩケーブルの５Ｖ電力ラインに接続される５Ｖ電力ピンの電圧を５Ｖに制御する。ＨＰＤ検知部２４０は、ＨＤＭＩケーブルのＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部２４０は、シンク機器との接続が確立されたことをＣＥＣ制御部１５及びＤＤＣ・Ｉ／Ｆ２２０に通知する。
【００６１】
上述したＤＤＣ・Ｉ／Ｆ２２０は、ＨＰＤ検知部２４０からこの通知を受けると、ＨＤＭＩ出力端子に接続されたシンク機器からＤＤＣラインを介してＥＤＩＤを読み出すように構成されている。つまり、ＤＤＣ・Ｉ／Ｆ２２０は、ＨＤＭＩ出力端子にシンク機器が接続されたときに、中継装置１０の物理アドレスを含むＥＤＩＤを、そのシンク機器から取得するための取得手段として機能する。
【００６２】
（携帯電話端末２０のＨＤＭＩトランスミッタ２０１）
携帯電話端末２０のＨＤＭＩトランスミッタ２０１は、中継装置１０のＨＤＭＩトランスミッタ２００と同様、ＴＭＤＳトランスミッタ２１１、ＤＤＣ・Ｉ／Ｆ２２１、ＣＥＣ・Ｉ／Ｆ２３１、ＨＰＤ検知部２４１及び５Ｖ・Ｐｏｗｅｒ制御部２５１を備えている。携帯電話端末２０のＨＤＭＩトランスミッタ２０１の各部は、中継装置１０のＨＤＭＩレシーバ１００の各部とＨＤＭＩケーブルの各ラインを介して接続される。携帯電話端末２０のＨＤＭＩトランスミッタ２０１の各部は、中継装置１０のＨＤＭＩトランスミッタ２００の各部と同様の機能を有する。
【００６３】
（テレビ３０のＨＤＭＩレシーバ１０１）
テレビ３０のＨＤＭＩレシーバ１０１は、ＴＭＤＳレシーバ１１１、ＤＤＣ・Ｉ／Ｆ１２１、ＣＥＣ・Ｉ／Ｆ１３１、ＨＰＤ制御部１４１、５Ｖ・Ｐｏｗｅｒ検知部１５１及びＥＤＩＤ格納部１６１を備えている。テレビ３０のＨＤＭＩレシーバ１０１の各部は、中継装置１０のＨＤＭＩトランスミッタ２００の各部とＨＤＭＩケーブルの各ラインを介して接続される。テレビ３０のＨＤＭＩレシーバ１０１の各部は、中継装置１０のＨＤＭＩレシーバ１００の各部と同様の機能を有する。
【００６４】
（物理アドレス取得処理）
次に、中継装置１０が自身の物理アドレスを取得する物理アドレス取得処理について、図３を参照して説明する。図３は、物理アドレス取得処理の流れを示すシーケンス図である。なお、この物理アドレス取得処理は、ＨＤＭＩ出力端子にテレビ３０が接続されたときに実行されるものである。
【００６５】
中継装置１０のＨＤＭＩ出力端子に含まれる５Ｖ電力ピンの電圧は、５Ｖ・Ｐｏｗｅｒ制御部２５０によって５Ｖに制御されている。このため、ＨＤＭＩケーブルによって中継装置１０とテレビ３０とが接続されると、テレビ３０のＨＤＭＩ入力端子に含まれる５Ｖ電力ピンの電圧が５Ｖに立ち上がる（ステップＳ１１）。テレビ３０が複数のＨＤＭＩ入力端子を接続可能である場合、テレビ３０の入力ソースとして選択されるＨＤＭＩ入力端子は、中継装置１０と接続されている入力端子を選択していない場合がある。そこで、テレビ３０の複数のＨＤＭＩ入力端子のうち何れか１つのＨＤＭＩ入力端子と接続されている中継装置１０から、５Ｖ電力ピンの電圧が５Ｖに立ち上がったことを検知できるように、ユーザは、テレビ３０の入力ソースとして全てのＨＤＭＩ入力端子を順次選択し、中継装置１０から、５Ｖ電力ピンの電圧が５Ｖに立ち上がったことを検知できるようにテレビ３０を操作する（ステップＳ１２）。
【００６６】
テレビ３０の５Ｖ・Ｐｏｗｅｒ検知部１５１は、５Ｖ電力ピンの電圧が５Ｖに立ち上がったことを検知すると、中継装置１０との接続が確立されたことを、テレビ３０のＨＰＤ制御部１４１に通知する。
【００６７】
テレビ３０のＨＰＤ制御部１４１は、５Ｖ・Ｐｏｗｅｒ検知部１５１からこの通知を受けると、ＨＤＭＩ入力端子に含まれるＨＰＤピンの電圧をＨレベルに立ち上げる。これにより、中継装置１０のＨＤＭＩ出力端子に含まれるＨＰＤピンの電圧がＨレベルに立ち上がる（ステップＳ１３）。中継装置１０のＨＰＤ検知部２４０は、ＨＰＤピンの電圧がＨレベルに立ち上がったことを検知すると、テレビ３０との接続が確立されたことを、中継装置１０のＤＤＣ・Ｉ／Ｆ２２０に通知する。
【００６８】
中継装置１０のＤＤＣ・Ｉ／Ｆ２２０は、ＨＰＤ検知部２４０からこの通知を受けると、テレビ３０のＥＤＩＤ格納部１６１に格納されているＥＤＩＤをＨＤＭＩケーブルのＤＤＣラインを介して取得する（ステップＳ１４）。そして、ＤＤＣ・Ｉ／Ｆ２２０は、取得したＥＤＩＤに含まれる中継装置１０の物理アドレスをＲＡＭ１２に記録させる（ステップＳ１５）。
【００６９】
（入力切替処理）
次に、中継装置１０がテレビ３０の入力ソースを携帯電話端末２０に切り替える入力切替処理について、図４を参照して説明する。この入力切替処理は、中継装置１０のＨＤＭＩ入力端子に携帯電話端末２０が接続されたことをトリガーとして実施される処理であり、概略的に言えば、携帯電話端末２０の物理アドレスを導出する導出ステップと、導出ステップにて導出された携帯電話端末２０の物理アドレスを携帯電話端末２０に読み出させる提供ステップと、テレビ３０の入力ソースを携帯電話端末２０に切り替えさせる切替ステップとにより構成される。なお、以下の説明において、ＨＤＭＩ−ＣＥＣにて規定されているＣＥＣコマンドは、括弧（＜＞）で括って示し、ＣＥＣコマンドの引数は、括弧（［］）括って示す。
【００７０】
ＨＤＭＩケーブルによって中継装置１０と携帯電話端末２０とが接続されると、携帯電話端末２０は、５Ｖ電力ラインに接続される５Ｖ電力ピンの電圧を５Ｖに立ち上げる。これにより、中継装置１０の５Ｖ電力ピンの電圧が５Ｖに立ち上がる（ステップＳ２１）。中継装置１０の５Ｖ・Ｐｏｗｅｒ検知部１５０は、５Ｖ電力ピンの電圧が５Ｖに立ち上がったことを検知する（ステップＳ２２）。５Ｖ・Ｐｏｗｅｒ検知部１５０は、５Ｖ電力ピンの電圧が５Ｖに立ち上がったことが検知できない場合（５Ｖ電力検知不可）、５Ｖ電力ピンの電圧が５Ｖに立ち上がったことを検知するまでステップＳ２２を繰り返し実行する（ループＬ２）。
【００７１】
５Ｖ電力ピンの電圧が５Ｖに立ち上がったことを検知した場合、中継装置１０の５Ｖ・Ｐｏｗｅｒ制御部２５０は、５Ｖ電力ラインに接続される５Ｖ電力ピンの電圧を５Ｖに立ち上げる。これにより、テレビ３０の５Ｖ電力ピンの電圧が５Ｖに立ち上がる（ステップＳ２３）。テレビ３０のＨＰＤ制御部１４１は、５Ｖ・Ｐｏｗｅｒ検知部１５１から中継装置２０との接続が確立されたことを示す通知を受けた場合（判定Ｏ２）、ＨＤＭＩケーブルのＨＰＤラインが接続されるＨＰＤピンの電圧をＨレベルに立ち上げる（ステップＳ２４）。
【００７２】
中継装置１０のＨＰＤ検知部２４０が、ＨＰＤピンの電圧がＨレベルに立ち上がったことを検知した場合（判定Ｏ３）、中継装置１０のＤＤＣ・Ｉ／Ｆ２２０は、テレビ３０のＥＤＩＤ格納部１６１に記憶されているＥＤＩＤを、ＤＤＣラインを通じて取得する（ステップＳ２５）。中継装置１０のＤＤＣ・Ｉ／Ｆ２２０は、ステップＳ１５にてＲＡＭ１２に記録されている中継装置１０の物理アドレスを、取得したＥＤＩＤに含まれる中継装置１０に割り当てられた物理アドレスに更新する（ステップＳ２６）。その後、ＣＥＣ制御部１５は、ＲＡＭ１２に中継装置１０の物理アドレスが記録されているかを判定する（分岐Ａ２）。ＲＡＭ１２に物理アドレスが記録されていない場合（分岐Ａ２において、「物理アドレスが記録されていない場合」）、中継装置１０は、携帯電話端末２０にエラーを送信する（ステップＳ２７）。携帯電話端末２０はエラー画面を表示する（ステップＳ２８）。
【００７３】
ＲＡＭ１２に物理アドレスが記録されていた場合（分岐Ａ２において、「ｅｌｓｅ」）、ＣＥＣ制御部１５は、該物理アドレスをから携帯電話端末２０の物理アドレスを導出する。携帯電話端末２０の物理アドレスは、図２に示したように、中継装置１０の物理アドレスが（２，０，０，０）の場合、携帯電話端末の物理アドレスの１桁目（第１の部分）は、中継装置１０の物理アドレスの１桁目である２を継承する。また、物理アドレスの２桁目（第２の部分）を、携帯電話端末２０の端子番号に応じて設定する。つまり、端子番号が１の場合、物理アドレスの２桁目は、１と設定され、携帯電話端末２０の物理アドレスは、（２，１，０，０）と導出される。また、ＣＥＣ制御部１５は、該携帯電話端末２０の物理アドレスを含んだＥＤＩＤを作成し、作成した該ＥＤＩＤをＥＤＩＤ格納部１６０へ記憶する（ステップＳ２９）。
【００７４】
次に、中継装置１０のＨＰＤ制御部１４０は、ＨＰＤピンの電圧をＨレベルに立ち上げる（ステップＳ３０）。携帯電話端末２０のＨＰＤ検知部２４１が、ＨＰＤピンの電圧がＨレベルに立ち上がったことを検知すると、携帯電話端末２０は、中継装置１０のＥＤＩＤ格納部１６０に記憶されているＥＤＩＤを、ＤＤＣラインを通じて取得する（ステップＳ３１）。その後、携帯電話端末２０は、取得したＥＤＩＤに含まれる携帯電話端末２０に割り当てられた物理アドレス（以下、ＣＡとする）を通知する<Report Physical Address>[ＣＡ]（物理アドレス報告コマンド）を、ＣＥＣラインを通じて中継装置１０に送信する（ステップＳ３２）。中継装置１０のＣＥＣ制御部１５は、受信した携帯電話端末２０の物理アドレスを通知する<Report Physical Address>[ＣＡ]を、ＣＥＣラインを通じてテレビ３０に転送する（ステップＳ３３）。また、携帯電話端末２０は、テレビ３０に映像を表示できる状態にする<Text View On>をＣＥＣラインを通じて中継装置１０に送信する（ステップＳ３４）。中継装置１０のＣＥＣ制御部１５は、受信した<Text View On>を、ＣＥＣラインを通じてテレビ３０に転送する（ステップＳ３５）。
【００７５】
続いて、携帯電話端末２０は<Active Source>[ＣＡ]（入力切替要求コマンド）をＣＥＣラインを通じて中継装置１０に送信する（ステップＳ３６）。中継装置１０のＣＥＣ制御部１５は、受信した<Active Source>[ＣＡ]を、ＣＥＣラインを通じてテレビ３０に転送する（ステップＳ３７）。また、携帯電話端末２０は、ＴＭＤＳラインを通じて中継装置１０にコンテンツを送信する（ステップＳ３８）。中継装置１０は、ＴＭＤＳレシーバ１１０で受信したコンテンツを、ＴＭＤＳトランスミッタ２１０からＴＭＤＳラインを通じてテレビ３０に送信する（ステップＳ３９）。また、テレビ３０のＨＰＤ制御部１４１は、は、ステップＳ２４でＨＤＭＩケーブルのＨＰＤラインが接続されるＨＰＤピンの電圧をＨレベルに立ち上げなかった場合（判定Ｏ２１）、この時点でＨＰＤピンの電圧をＨレベルに立ち上げる（ステップＳ４０）。
【００７６】
中継装置１０は、ＨＰＤ検知部２４０がＨＰＤピンの電圧がＨレベルに立ち上がったことを検知したか否かを判定し（分岐Ａ２１）、ＨＰＤ検知部２４０がＨＰＤピンの電圧がＨレベルに立ち上がったことを検知しなかった場合（分岐Ａ２１において「ＨＰＤ＝Ｌレベルの場合」）、携帯電話端末２０にエラーを送信する（ステップＳ４１）。携帯電話端末２０はエラー画面を表示する（ステップＳ４２）。ＨＰＤ検知部２４０がＨＰＤピンの電圧がＨレベルに立ち上がったことを検知した場合（分岐Ａ２１において「ｅｌｓｅ」）、中継装置１０は、ステップＳ４０より前にＨＰＤ検知部２４０がＨＰＤピンの電圧がＨレベルに立ち上がったことを検知したか否かを判定する（判定Ｏ２２）。ステップＳ４０より前にＨレベルを検知せず、ステップＳ４０後にＨレベルを検知した場合、中継装置１０は、テレビ３０のＥＤＩＤ格納部１６１に記憶されているＥＤＩＤを、ＤＤＣラインを通じて取得する（ステップＳ４３）。
【００７７】
その後、テレビ３０は、テレビ３０の入力ソースを携帯電話端末２０に切り替える。また、ステップＳ３７で受信した<Active Source>[ＣＡ]に送信元として含まれている物理アドレスを引数として含んだ<Set Stream Path>[ＣＡ]（切替コマンド）を、ＣＥＣラインを通じて中継装置１０に送信する（ステップＳ４４）。中継装置１０のＣＥＣ制御部１５は、受信した<Set Stream Path>[ＣＡ]を、ＣＥＣラインを通じて携帯電話端末２０に転送する（ステップＳ４５）。
【００７８】
以上により、中継装置１０は、テレビ３０と携帯電話装置２０との間に接続される中継装置１０が、テレビ３０と接続されたとき、テレビ３０によって導出された中継装置１０の物理アドレスをテレビ３０から取得すると共に、取得した中継装置１０のアドレスをＲＡＭ１２に記録させる。また、中継装置１０は、携帯電話端末２０と接続されたとき、ＲＡＭ１２に記憶された中継装置１０の物理アドレスから携帯電話端末２０の物理アドレスを導出すると共に、導出した上記携帯電話端末２０の物理アドレスをＥＤＩＤ格納部１６０に記憶させる。中継装置１０は、ＥＤＩＤ格納部１６０に記憶された上記携帯電話端末２０の物理アドレスを、携帯電話端末２０に読み出させる。中継装置１０は、携帯電話端末２０から送信されたコンテンツの入力源を上記携帯電話端末２０に切り替えることをテレビ３０に求める入力切替要求を、テレビ３０に転送することにより、テレビ３０の入力を携帯電話端末２０に切り替える切替コマンドがテレビ３０より発行される。
【００７９】
つまり、中継装置１０は、中継装置１０に携帯電話端末２０を接続したことをトリガーとして、テレビ３０の入力を携帯電話端末２０に自動的に切り替えることができる。これにより、ユーザが携帯電話端末２０を事前に中継装置に接続していない場合においても、中継装置１０は携帯電話端末２０の物理アドレスを作成することができるため、ユーザは、携帯電話端末２０が中継装置１０に事前に接続された機器かを意識することなく携帯電話端末２０の映像をテレビ３０で見ることができる。また、中継装置１０がテレビ３０の入力を携帯電話端末２０に自動的に切り替えるため、ユーザが手動で入力切替の操作を行うことなく、ユーザは携帯電話端末２０の映像をテレビ３０で見ることができる。
〔実施形態２〕
第１の実施形態では、ＨＤＭＩ−ＣＥＣにおいて定められている汎用のＣＥＣコマンドを用いて入力切替を行う入力切替方法を説明した。ＨＤＭＩ−ＣＥＣの規格においては、ベンダが独自に実装したベンダコマンド（Vendor Command）をＣＥＣコマンドとして使用することが許容されている。本発明における中継装置では、入力切替要求コマンドのベンダコマンドを使用した場合においても、入力切替を行うことができる。
【００８０】
本実施形態における中継装置１０は、入力切替要求コマンドのベンダコマンドを生成し、コンテンツの入力源を携帯電話端末２０に切り替えることをテレビ３０に求める入力切替要求をテレビ３０に送信する。
【００８１】
図５は、コンテンツの入力源を携帯電話端末２０に切り替えることをテレビ３０に求める入力切替要求をテレビ３０に送信することで、テレビ３０のコンテンツの入力源を携帯電話端末２０に切り替える入力切替処理の流れ示したシーケンス図である。
【００８２】
（入力切替処理）
ＨＤＭＩケーブルによって中継装置１０と携帯電話端末２０とが接続されると、携帯電話端末２０は、５Ｖ電力ラインに接続される５Ｖ電力ピンの電圧を５Ｖに立ち上げる。これにより、中継装置１０の５Ｖ電力ピンの電圧が５Ｖに立ち上がる（ステップＳ５１）。中継装置１０の５Ｖ・Ｐｏｗｅｒ検知部１５０は、５Ｖ電力ピンの電圧が５Ｖに立ち上がったことを検知する（ステップＳ５２）。５Ｖ・Ｐｏｗｅｒ検知部１５０は、５Ｖ電力ピンの電圧が５Ｖに立ち上がったことが検知できない場合（５Ｖ電力検知不可）、５Ｖ電力ピンの電圧が５Ｖに立ち上がったことを検知するまでステップＳ５２を繰り返し実行する（ループＬ５）。
【００８３】
５Ｖ電力ピンの電圧が５Ｖに立ち上がったことを検知した場合、中継装置１０の５Ｖ・Ｐｏｗｅｒ制御部２５０は、５Ｖ電力ラインに接続される５Ｖ電力ピンの出夏を５Ｖに立ち上げる。これにより、テレビ３０の５Ｖ電力ピンの電圧が５Ｖに立ち上がる（ステップＳ５３）。テレビ３０のＨＰＤ制御部１４１は、５Ｖ・Ｐｏｗｅｒ検知部１５１から中継装置２０との接続が確立されたことを示す通知を受けた場合（判定Ｏ５）、ＨＤＭＩケーブルのＨＰＤラインが接続されるＨＰＤピンの電圧をＨレベルに立ち上げる（ステップＳ５４）。
【００８４】
中継装置１０のＨＰＤ検知部２４０が、ＨＰＤピンの電圧がＨレベルに立ち上がったことを検知した場合（判定Ｏ６）、中継装置１０のＤＤＣ・Ｉ／Ｆ２２０は、テレビ３０のＥＤＩＤ格納部１６１に記憶されているＥＤＩＤを、ＤＤＣラインを通じて取得する（ステップＳ５５）。中継装置１０のＤＤＣ・Ｉ／Ｆ２２０は、ステップＳ１５にてＲＡＭ１２に記録されている中継装置１０の物理アドレスを、取得したＥＤＩＤに含まれる物理アドレス（中継装置１０に割り当てられた物理アドレス）に更新する（ステップＳ５６）。ＣＥＣ制御部１５は、ＲＡＭ１２に中継装置１０の物理アドレスが記録されているかを判定する（分岐Ａ５）。ＲＡＭ１２に物理アドレスが記録されていない場合（分岐Ａ５において、「物理アドレスが記録されていない場合」）、中継装置１０は、携帯電話端末２０にエラーを送信する（ステップＳ５７）。携帯電話端末２０はエラー画面を表示する（ステップＳ５８）。
【００８５】
ＲＡＭ１２に物理アドレスが記録されていた場合（分岐Ａ５において、「ｅｌｓｅ」）、ＣＰＵ１４は、ＴＭＤＳラインを通じてテレビ３０にＵＩ用コンテンツを送信する（ステップＳ５９）。このＵＩ用コンテンツは、入力切替処理の実行中であることをユーザに知らせるためのコンテンツであって、例えば、ＲＯＭ１３に記録から画像データ等をデコードすることによって再生されたものである。なお、ＵＩコンテンツは、これに限定されるものではない。テレビ３０は、受信したＵＩコンテンツを表示する（ステップＳ６０）。なお、上記ステップＳ５９及びステップＳ６０は、省略してもよい。ＲＡＭ１２に物理アドレスが記録されていた場合、ＣＥＣ制御部１５は、携帯電話端末２０の仮の物理アドレス（以下、ＣＡ’とする）を導出する（ステップＳ６１）。ＣＥＣ制御部１５は、上記仮の物理アドレスに入力切替要求コマンドのベンダコマンドを作成し、ＣＥＣラインを通じてテレビ３０に送信する（ステップＳ６２）。また、テレビ３０のＨＰＤ制御部１４１は、は、ステップＳ５４でＨＤＭＩケーブルのＨＰＤラインが接続されるＨＰＤピンの電圧をＨレベルに立ち上げなかった場合（判定Ｏ５１）、この時点でＨＰＤピンの電圧をＨレベルに立ち上げる（ステップＳ６３）。
【００８６】
次に、中継装置１０は、ＨＰＤ検知部２４０がＨＰＤピンの電圧がＨレベルに立ち上がったことを検知したか否かを判定し（分岐Ａ５１）、ＨＰＤ検知部２４０がＨＰＤピンの電圧がＨレベルに立ち上がったことを検知しなかった場合（分岐Ａ５１において「ＨＰＤ＝Ｌレベルの場合」）、携帯電話端末２０にエラーを送信する（ステップＳ６４）。携帯電話端末２０はエラー画面を表示する（ステップＳ６５）。ＨＰＤ検知部２４０がＨＰＤピンの電圧がＨレベルに立ち上がったことを検知した場合（分岐Ａ５１において「ｅｌｓｅ」）、テレビ３０は、上記仮の物理アドレスを引数として含んだ<Set Stream Path>[ＣＡ’]を、ＣＥＣラインを通じて中継装置１０に送信する（ステップＳ６６）。
【００８７】
その後、中継装置１０は、ステップＳ６３より前にＨＰＤ検知部２４０がＨＰＤピンの電圧がＨレベルに立ち上がったことを検知したか否かを判定する（判定Ｏ５２）。ステップＳ６３より前にＨレベルを検知せず、ステップＳ６３後にＨレベルを検知した場合、中継装置１０は、テレビ３０のＥＤＩＤ格納部１６１に記憶されているＥＤＩＤを、ＤＤＣラインを通じて取得する（ステップＳ６７）。ステップＳ６７でＥＤＩＤを取得した場合、中継装置１０のＤＤＣ・Ｉ／Ｆ２２０は、ステップＳ１５にてＲＡＭ１２に記録されている中継装置１０の物理アドレスを、取得したＥＤＩＤに含まれる中継装置１０に割り当てられた物理アドレスに更新する。
【００８８】
続いて、ＣＥＣ制御部１５は、ＲＡＭ１２に記録されている中継装置１０の物理アドレスから、携帯電話端末２０の物理アドレスを導出する。また、ＣＥＣ制御部１５は、該携帯電話端末２０の物理アドレスを含んだＥＤＩＤを作成し、作成した該ＥＤＩＤをＥＤＩＤ格納部１６０へ記憶する（ステップＳ６８）。その後、中継装置１０のＨＰＤ制御部１４０が、ＨＰＤピンの電圧をＨレベルに立ち上げる（ステップＳ６９）と、携帯電話端末２０は、中継装置１０のＥＤＩＤ格納部１６０に記憶されているＥＤＩＤを、ＤＤＣラインを通じて取得する（ステップＳ７０）。
【００８９】
次に、携帯電話端末２０は、取得したＥＤＩＤに含まれる携帯電話端末２０に割り当てられた物理アドレス（以下、ＣＡとする）を通知する<Report Physical Address>[ＣＡ]を、ＣＥＣラインを通じて中継装置１０に送信する（ステップＳ７１）。中継装置１０のＣＥＣ制御部１５は、受信した携帯電話端末２０の物理アドレスを通知する<Report Physical Address>[ＣＡ]を、ＣＥＣラインを通じてテレビ３０に転送する（ステップＳ７２）。また、携帯電話端末２０は、テレビ３０に映像を表示できる状態にする<Text View On>を、ＣＥＣラインを通じて中継装置１０に送信する（ステップＳ７３）。中継装置１０のＣＥＣ制御部１５は、受信した<Text View On>を、ＣＥＣラインを通じてテレビ３０に転送する（ステップＳ７４）。携帯電話端末２０は<Active Source>を、ＣＥＣラインを通じて中継装置１０に送信する（ステップＳ７５）。また、携帯電話端末２０は、ＴＭＤＳラインを通じて中継装置１０にコンテンツを送信する（ステップＳ７６）。
【００９０】
続いて、中継装置１０のＣＥＣ制御部１５は、<Active Source>[ＣＡ]を受信したことを確認する（ステップＳ７７）。中継装置１０のＣＥＣ制御部１５は、<Active Source>[ＣＡ]を受信したことが確認できない場合、<Active Source>[ＣＡ]を受信したことを確認するまでステップＳ７７を繰り返し実行する（ループＬ５３）。中継装置１０のＣＥＣ制御部１５は、受信した<Active Source>[ＣＡ]を、ＣＥＣラインを通じてテレビ３０に転送する（ステップＳ７８）。
【００９１】
その後、テレビ３０は、テレビ３０の入力ソースを携帯電話端末２０に切り替える。また、テレビ３０は、受信した<Active Source>[ＣＡ]に送信元として含まれている物理アドレスを引数として含んだ<Set Stream Path>[ＣＡ]を、ＣＥＣラインを通じて中継装置１０に送信する（ステップＳ７９）。中継装置１０のＣＥＣ制御部１５は、受信した<Set Stream Path>[ＣＡ]を、ＣＥＣラインを通じて携帯電話端末２０に転送する（ステップＳ８０）。
【００９２】
次に、中継装置１０のＡＶスイッチ１１は、コンテンツの入力を、ステップＳ５９にてテレビ３０にＴＭＤＳラインを通じて送信したコンテンツが記録されている場所から携帯電話端末２０のコンテンツを受信するＴＭＤＳレシーバ１１０に切り替える（ステップＳ８１）。中継装置１０はＴＭＤＳレシーバ１１０で受信したコンテンツを、ＡＶスイッチ１１を介してＴＭＤＳトランスミッタ２１０からテレビ３０に、ＴＭＤＳラインを通じて送信する（ステップＳ８２）。
【００９３】
以上のように、入力切替要求コマンドのベンダコマンドを使用した場合においても、中継装置１０は、テレビ３０の入力を携帯電話端末２０に切り替えることができる。従って、ユーザは携帯電話端末２０のメーカを意識することなく、携帯電話端末２０の映像をテレビ３０で見ることができる。
【００９４】
〔実施形態３〕
実施形態１及び実施形態２では、中継装置１０に携帯電話端末２０が接続された場合を例に説明を行ったが、中継装置１０に接続される機器はこれに限定しないため、例えば、ＤＶＤレコーダのように、据置機器が接続される場合もある。このような据置機器は、いったん接続すると何度も取り外さないため、自機器の物理アドレスを取得していることが多い。しかし、修理のために中継装置１０から取り外し、修理が終了したときに再度中継装置１０に接続すると、上述した実施形態では、中継装置１０は、該機器の物理アドレスを作成する処理を行ってしまい、中継装置１０に余計な負荷をかけてしまう可能性がある。そのため、本実施形態における中継装置１０は、携帯電話端末２０が携帯機器であるか否かを示す、携帯電話端末２０から通知される機器情報に基づいて、上記携帯電話端末２０が携帯機器であるか否かを判定し、携帯機器であると判定された場合に限って、ＥＤＩＤ格納部１６０に記憶された携帯電話端末２０の物理アドレスを、携帯電話端末２０に読み出させる。
【００９５】
図６は、携帯電話端末２０が携帯機器であるか否かを示す、携帯電話端末２０から通知される機器情報に基づいて、上記携帯電話端末２０が携帯機器であるか否かを判定し、携帯機器であると判定された場合に限って、ＥＤＩＤ格納部１６０に記憶された携帯電話端末２０の物理アドレスを、携帯電話端末２０に読み出させることで、テレビ３０のコンテンツの入力源を携帯電話端末２０に切り替える入力切替処理の流れ示したシーケンス図である。なお、説明の便宜上、実施形態２にて説明した図５と同じ処理については、同じ符号を付記し、その説明を省略する。
【００９６】
（入力切替処理）
ＨＤＭＩケーブルによって中継装置１０と携帯電話端末２０とが接続されると、携帯電話端末２０は、５Ｖ電力ラインに接続される５Ｖ電力ピンの電圧を５Ｖに立ち上げる。これにより、中継装置１０の５Ｖ電力ピンの電圧が５Ｖに立ち上がる（ステップＳ９１）。中継装置１０の５Ｖ・Ｐｏｗｅｒ検知部１５０は、５Ｖ電力ピンの電圧が５Ｖに立ち上がったことを検知する（ステップＳ９２）。
【００９７】
５Ｖ・Ｐｏｗｅｒ検知部１５０は、５Ｖ電力ピンの電圧が５Ｖに立ち上がったことが検知できない場合、５Ｖ電力ピンの電圧が５Ｖに立ち上がったことを検知するまでステップＳ９２を繰り返し実行する（ループＬ９１）。５Ｖ電力ピンの電圧が５Ｖに立ち上がったことを検知した場合、携帯電話端末２０は、携帯機器であることを通知するベンダコマンドを、ＣＥＣラインを通じて中継装置１０に送信する（ステップＳ９３）。中継装置１０のＣＥＣ制御部１５は、受信したベンダコマンドより通知される機器情報に基づいて、接続された機器が携帯機器である否かを判定する（ステップＳ９４）。
【００９８】
次に、中継装置１０のＣＥＣ制御部１５は、接続された機器が携帯機器であると判定されなかった場合、携帯機器であると判定されるまで、ステップＳ９１からステップＳ９４を繰り返し実行する（ループＬ９）。接続された機器が携帯機器であると判定された場合、ステップＳ５３からステップＳ８２を実行する。
【００９９】
以上のように、中継装置１０は、携帯電話端末２０が携帯機器であるか否かを示す、携帯電話端末２０から通知される機器情報に基づいて、上記携帯電話端末２０が携帯機器であるか否かを判定し、携帯機器であると判定された場合に限って、ＥＤＩＤ格納部１６０に記憶された携帯電話端末２０の物理アドレスを、携帯電話端末２０に読み出させる。その後、中継装置１０は、携帯電話端末２０から送信されたコンテンツの入力源を上記携帯電話端末２０に切り替えることをテレビ３０に求める入力切替要求を、テレビ３０に転送することにより、テレビ３０の入力を携帯電話端末２０に切り替える切替コマンドがテレビ３０より発行される。
【０１００】
従って、ユーザは、中継装置１０に携帯機器である携帯電話端末２０を接続することで、携帯電話端末２０の映像をテレビ３０で見ることができる。
〔実施形態４〕
上述した実施形態では、テレビ３０にＨＤＭＩ接続されている中継装置１０に接続される機器が、１つである場合を例に説明を行ったが、中継装置１０に接続される機器は複数であってもよい。本実施形態では、複数の機器が接続可能な中継装置１０’の構成及び中継装置１０’に機器が接続された場合の中継装置１０’の処理について図７及び図８を用いて説明する。なお、説明の便宜上、上述した実施形態にて説明した図１と同じ部材及び図６と同じ処理については、同じ符号を付記し、その説明を省略する。
【０１０１】
（中継装置１０’）
まず、中継装置１０’の構成について図７を参照して説明する。図７は、中継装置１０’の構成と、携帯電話端末２０のＨＤＭＩトランスミッタ２０１の構成、及び、テレビ３０のＨＤＭＩレシーバ１０１の構成を示すブロック図である。図７に示すように、中継装置１０’は、ＡＶスイッチ１１、ＲＡＭ１２、ＲＯＭ１３、ＣＰＵ１４、ＣＥＣ制御部１５、ＨＤＭＩレシーバ１００’及びＨＤＭＩトランスミッタ２００を備えている。また、ＨＤＭＩレシーバ１００’は、ＴＭＤＳレシーバ１１０、ＤＤＣ・Ｉ／Ｆ１２０、ＣＥＣ・Ｉ／Ｆ１３０、ＨＰＤ制御部１４０、５Ｖ・Ｐｏｗｅｒ検知部１５０、ＥＤＩＤ格納部１６０及びＨＤＭＩスイッチ１７０を備えている。また、ＨＤＭＩトランスミッタ２００は、ＴＭＤＳトランスミッタ２１０、ＤＤＣ・Ｉ／Ｆ２２０、ＣＥＣ・Ｉ／Ｆ２３０、ＨＰＤ検知部２４０及び５Ｖ・Ｐｏｗｅｒ制御部２５０を備えている。
【０１０２】
ＨＤＭＩスイッチ１７０は、中継装置１０’に接続可能な機器のうち、中継装置１０’に接続されている機器からの入力を受信できるよう、ＴＭＤＳラインを中継装置１０’に接続されている機器に切り替える。これにより、ＴＭＤＳレシーバ１１０は、ＴＭＤＳラインを通じて中継装置１０’に接続されている機器からコンテンツを受信することができる。
【０１０３】
（入力切替処理）
次に、中継装置１０’の入力切替方法について、図８を参照して説明する。図８は、携帯電話端末β２０及び携帯電話端末α２０’が各々中継装置１０’に接続された場合における入力切替処理の流れを示すシーケンス図である。
【０１０４】
ＨＤＭＩケーブルによって中継装置１０と携帯電話端末２０とが接続されると、携帯電話端末２０及び中継装置１０’は、ループＬ４を含むステップＳ９１からステップＳ９４の処理を実行する。中継装置１０’のＣＥＣ制御部１５が接続された機器が携帯機器であることを確認できた場合、中継装置１０’のＨＤＭＩスイッチ１７０は、ステップＳ９１で５Ｖ電力ラインに接続される５Ｖ電力ピンの電圧を５Ｖに立ち上げた機器がＴＭＤＳラインを通じてコンテンツを送信できるように、ＴＭＤＳラインの入力を上記機器に切り替える。つまり、図８に示すように、ステップＳ９１で５Ｖ電力ラインに接続される５Ｖ電力ピンの電圧を５Ｖに立ち上げた機器が携帯電話端末β２０であった場合、携帯電話端末β２０がＴＭＤＳラインを通じてコンテンツを中継装置１０’に送信できるように、中継装置１０’は、中継装置１０’のＴＭＤＳラインの入力を携帯電話装置β２０に切り替える（ステップＳ９５）。
【０１０５】
ステップＳ９５実行後、ステップＳ９１で５Ｖ電力ラインに接続される５Ｖ電力ピンの電圧を５Ｖに立ち上げた機器、つまり携帯電話端末β２０である場合（分岐Ａ９）、上述したステップＳ５３からステップＳ８２を実行する。一方、携帯電話端末α２０’が接続された場合、上述したステップＳ５３からステップＳ８２を携帯電話端末β２０ではなく、携帯電話端末α２０’に対して実行する。
【０１０６】
以上のように、中継装置１０’は、中継装置１０’に接続可能な機器が複数あった場合においても、中継装置１０’に携帯電話端末２０を接続したことをトリガーとして、テレビ３０の入力を携帯電話端末２０に自動的に切り替えることができる。これにより、ユーザが手動で入力切替の操作を行うことなく、中継装置１０’に接続可能な複数の機器のうち中継装置１０’に接続された機器の映像をテレビ３０で見ることができる。
【０１０７】
なお、上述した中継装置１０及び中継装置１０’は、テレビ３０と別個の構成として説明したが、これに限定されるものではなく、テレビ３０と一体とした構成にしてもよい。つまり、中継装置１０及び中継装置１０’に相当する機能がテレビ３０に含まれる構成にしてもよい。
【０１０８】
また、上述した各実施形態における機器の構成は、ＨＤＭＩネットワークでの構成として説明したが、これに限定されるものではなく、ＨＤＭＩネットワークのようなツリー構造のネットワークにおいても適用することが可能である。
〔プログラム及び記録媒体〕
最後に、中継装置１０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１０９】
後者の場合、中継装置１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである中継装置１０の制御プログラムのプログラムコード（実行形式プログラム、中間コードプログラム、ソースプログラム）をコンピュータで読み取り可能に記録した記録媒体を、上記中継装置１０に供給し、そのコンピュータ（またはＣＰＵやＭＰＵ）が記録媒体に記録されているプログラムコードを読み出し実行することによっても、達成可能である。
【０１１０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１１１】
また、中継装置１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１３】
本発明に係る中継装置は、ツリー構造のネットワーク上においてコンテンツの供給を受ける入力端子を切り替えることができる機能を有するＡＶアンプ機器として好適に利用することができる。
【符号の説明】
【０１１４】
１０          中継装置
１１          ＡＶスイッチ
１２          ＲＡＭ（第１の記憶部）
１３          ＲＯＭ
１４          ＣＰＵ
１５          ＣＥＣ制御部（導出手段、転送手段、送信手段、機器判定手段）
１００        ＨＤＭＩレシーバ
１１０        ＴＭＤＳレシーバ
１２０        ＤＤＣ・Ｉ／Ｆ
１３０        ＣＥＣ・Ｉ／Ｆ
１４０        ＨＰＤ制御部（提供手段）
１５０        ５Ｖ・Ｐｏｗｅｒ検知部
１６０        ＥＤＩＤ格納部（第２の記憶部）
１７０        ＨＤＭＩスイッチ（コンテンツ切替手段）
２００        ＨＤＭＩトランスミッタ
２１０        ＴＭＤＳトランスミッタ
２２０        ＤＤＣ・Ｉ／Ｆ（取得手段）
２３０        ＣＥＣ・Ｉ／Ｆ
２４０        ＨＰＤ検知部
２５０        ５Ｖ・Ｐｏｗｅｒ制御部
２０          携帯電話端末（ソース機器）
３０          テレビ（シンク機器）
【図１】
2011259231.tif 000003
【図２】
2011259231.tif 000004
【図３】
2011259231.tif 000005
【図４】
2011259231.tif 000006
【図５】
2011259231.tif 000007
【図６】
2011259231.tif 000008
【図７】
2011259231.tif 000009
【図８】
2011259231.tif 000010